(57)【特許請求の範囲】
【請求項１】
中空箱状の基体と、この基体の上部から加熱調理機器の上方に向けて突出し、その下面開口を吸込み口としたフードと、上記基体の内部に設けられたレンジフード用ファンと、上記基体内部で上記吸込み口から吸引した油煙等の流通路に設けられた捕集フィルタと、を備え、対面式キッチンに設置されるレンジフードにおいて、上記基体の背面側に空気吸入口と空気送出口とを形成するとともに、上記基体内部で上記空気吸入口から吸引した空気の流通路に、上記空気吸入口から吸引された空気中の塵芥を吸着するフィルタ装置を設け、かつ、上記吸入み口に通じる流通路と上記空気吸入口に通じる流通路とを上記基体内部で合流させたことを特徴とする空気清浄機能付きレンジフード。
【請求項２】
前記基体の背面側で前記空気吸入口が開口する部分に、この空気吸入口を開閉する開閉扉を設けたことを特徴とする請求項１に記載の空気清浄機能付きレンジフード。
【請求項３】
前記空気送出口の近傍に、マイナスイオン発生装置を設けたことを特徴とする請求項１又は請求項２のいずれかに記載の空気清浄機能付きレンジフード。
【請求項４】
前記空気送出口の近傍に、アロマ発生装置を設けたことを特徴とする請求項１又は請求項２のいずれかに記載の空気清浄機能付きレンジフード。
【発明の詳細な説明】
【０００１】
【発明の属する技術分野】
この発明は、対面式キッチンに設置されるレンジフードの改良に関し、このレンジフードに空気清浄機能を付加してなる空気清浄機能付きレンジフードに関する。
【０００２】
【従来技術】
近年、キッチンの正面にダイニングテーブルを設け、調理する者と食事をする者とが向かい合わせとなる、対面式キッチンが普及している。このような対面式キッチンにおいては、キッチン側に設けられたガスコンロ等の加熱調理機器の前側に、この加熱調理機器を使用することによって発生する油煙や水蒸気等を捕集するためのレンジフードが設けられる。
【０００３】
上記対面式キッチンに設けられるレンジフードは、中空箱状の基体と、この基体の上部から上記加熱調理機器の上方に向けて突出し、その下面開口を吸込み口としたフードと、上記基体の内部に設けられたレンジフード用ファンと、上記基体内部で上記吸込み口から吸引した油煙等の流通路に設けられた捕集フィルタと、を備えている。
【０００４】
このため、上記加熱調理機器を使用して調理をすることによって油煙や水蒸気が発生しても、これら油煙や水蒸気は、上記レンジフード用ファンの回転に基づいて上記フードの吸込み口から吸引され、上記油煙や水蒸気が部屋中に拡散してしまうことが防止される。
【０００５】
上記吸込み口から吸引された油煙や水蒸気は、その流通路に設けられた捕集フィルタにより油分等が吸着された後、ダクトを通じて屋外に排出される。
【０００６】
【発明が解決しようとする課題】
ところで、近年の健康志向の高まりや花粉症患者の増加等に起因して、室内に空気清浄機を設置する世帯が増加している。一般に知られている空気清浄機は、空気吸入口と空気送出口とを形成した器体内部に、空気清浄機用ファンと、上記空気吸入口から吸引された空気中の塵芥を吸着するフィルタ装置と、を設けることで構成されている。このような空気清浄機は、設置する部屋の広さ等に応じて種々の大きさのものがあるが、ダイニングルーム等に設置する場合には、比較的大型のものを使用する必要がある。
【０００７】
しかしながら、上述したような比較的大型の空気清浄機を設置する場合、その分だけ部屋が狭くなってしまい、食器棚やインテリア等を設置する際の自由度が小さくなってしまう。
【０００８】
本発明者は、このような事情に鑑み、また、ダイニング側から見た上記レンジフードの無機質的な景観を改善すべく、鋭意研究を重ね、上記レンジフードの構造と空気清浄機の構造との類似点や差異に着目して、この発明をなすに至った。
【０００９】
この発明は、対面式キッチンに設置されるレンジフードに空気清浄機の機能を付加することにより、レンジフードを設置するのみで空気清浄をも行なえるようにし、且つ、ダイニングルームの利用スペースを増大させるとともに食器棚等の収納家具の設置の自由度を増大させ、更には、ダイニングルーム側から見た上記レンジフードの背面側の無機質的な景観を改善した、対面式キッチン用のレンジフードを提供することを目的とする。
【００１０】
【課題を解決するための手段】
上記目的を達成するため、請求項１に記載した発明にあっては、中空箱状の基体と、この基体の上部から加熱調理機器の上方に向けて突出し、その下面開口を吸込み口としたフードと、上記基体の内部に設けられたレンジフード用ファンと、上記基体内部で上記吸込み口から吸引した油煙等の流通路に設けられた捕集フィルタと、を備え、対面式キッチンに設置されるレンジフードにおいて、上記基体の背面側に空気吸入口と空気送出口とを形成するとともに、上記基体内部で上記空気吸入口から吸引した空気の流通路に、上記空気吸入口から吸引された空気中の塵芥を吸着するフィルタ装置を設け、かつ、上記吸入み口に通じる流通路と上記空気吸入口に通じる流通路とを上記基体内部で合流させたことを特徴とするものである。
【００１２】
尚、請求項２に記載したように、上記請求項１に記載した空気清浄機能付きレンジフードにおいて、上記基体の背面側で上記空気吸入口が開口する部分に、この空気吸入口を開閉する開閉扉を設けた構成を採用することもできる。
【００１３】
また、請求項３に記載したように、上記空気送出口の近傍に、マイナスイオン発生装置を設けた構成、或いは、請求項４に記載したように、上記空気送出口の近傍に、アロマ発生装置を設けた構成を採用しても良い。
【００１４】
【発明の実施の形態】
以下、この発明の実施の形態例について、図面を参照しつつ、この発明を詳細に説明する。
【００１５】
図１は、この発明の実施の第一形態例に係る空気清浄機能付きレンジフードを、ダイニングルーム側から見た斜視図である。図２は、同じく縦断面図である。
尚、本形態例は、この発明を、加熱調理機器として電気コンロが設置されているキッチンに設置されるレンジフードに適用したものである。
【００１６】
本形態例に係る空気清浄機能付きレンジフード１は、前述した従来のレンジフードと同様、中空箱状の基体２と、この基体２の上部から加熱調理機器である電気コンロ３の上方に向けて突出し、その下面開口を吸込み口４としたフード５と、上記基体２の内部に設けられたレンジフード用ファン６と、上記基体２内部で上記吸込み口４から吸引した油煙等の流通路７の途中に設けられた捕集フィルタ８と、を備えている。
【００１７】
特に、本形態例に係る空気清浄機能付きレンジフード１においては、上記基体２の背面側（図１、図２のそれぞれ右側）に空気吸入口９と空気送出口１０とを形成している。そして、上記基体２内部で上記空気吸入口９から吸引した空気の流通路１１に、上記空気吸入口９から吸引された空気中の塵芥を吸着するフィルタ装置１２を設けている。
【００１８】
尚、図２に示す本第１形態例の場合、上記フード５の下面に形成された吸込み口４に通じる流通路７（実線矢印Ａ）と上記空気吸込口９に通じる流通路１１（鎖線Ｂ）とは、上記基体２内部で合流し、レンジフード用ファン６を介して、流通路７と流通路１１共用の上記空気送出口１０に通じている。即ち、レンジフード用ファン６の駆動により基体内の吸込み口側及び空気吸込口側が負圧となり両方から空気が流入して合流し、レンジフード用ファン６後方の空気送出口から排出する。
【００１９】
また、本形態例においては、図２に示すように（図１には省略）、上記基体２の背面側で上記空気吸入口９が開口する部分に、この空気吸入口９を開閉する開閉扉１４を設けている。この開閉扉１４は、空気清浄機能を使用しない場合には、図２に実線で示すように上記空気吸入口９を閉鎖しておき、空気清浄機能を使用する場合には、図２に鎖線で示すように上記空気吸入口９を開放する。
【００２０】
上述のように構成される本形態例に係る空気清浄機能付きレンジフード１においては、上記電気コンロ３により、例えばフライパン１３を用いて調理を行なう際に、上記レンジフード用ファン６を駆動し、調理に伴って発生する油煙や水蒸気を、上記フード５の下面に設けた吸込み口４から吸込ませる。この吸込み口４から吸込まれた上記油煙や水蒸気は、図２の実線矢印Ａで示すように、上記流通路７を通って上記空気送出口１０から送り出されるが、上記流通路７の途中に設けられた捕集フィルタ８によって油分等が吸着され、清浄な空気のみが上記空気送出口１０から送り出される。
【００２１】
また、この空気清浄機能付きレンジフード１を用いて、ダイニングルームの空気清浄を行なう場合には、上記開閉扉１４を図２の鎖線で示すように開け、上記空気吸入口９を開放させる。これにより、上記レンジフード用ファン６の駆動によって上記ダイニングルーム側の空気が上記空気吸入口９から吸引され、図２の破線矢印Ｂで示すように、上記流通路１１を通って上記空気送出口１０から送り出される。この際、上記空気中に含まれる例えば煙草の煙分や塵芥（ハウスダクト）等が、上記流通路１１の途中に設けられたフィルタ装置１２により吸着される。この結果、上記空気吸入口９から吸引された空気が清浄化される。この清浄化された空気が、上記空気送出口１０から室内に送り出され、室内は清浄な空気で満たされる。
【００２２】
尚、上記フィルタ装置１２としては、単なるペーパフィルタを採用しても、電磁気的に上記塵芥等を吸着する静電フィルタを採用しても、或いはこれらを組み合わせたものであっても、いずれであっても良い。要は、上記空気中の塵芥等を吸着・捕集し、空気を清浄とするものであれば良い。
【００２３】
また、上記空気送出口１０の近傍に、従来から知られたマイナスイオン発生装置（図示せず）を設け、上記空気送出口１０から送り出される空気を、マイナスイオンを多量に含んだものとすることもできる。空気中にマイナスイオンが多量に含まれている場合、その雰囲気中にいる人間の精神状態が落ち着く等の効果が知られている。また、上記空気送出口１０の近傍に、従来から知られたアロマ発生装置（図示せず）を設けた構成を採用しても良い。この構成を採用した場合、上記空気送出口１０から送り出される空気には香り成分が混入され、人の精神状態を落ち着かせる等の効果を奏する。
【００２４】
本形態例に係る空気清浄機能付きレンジフード１は、上述のように構成され作用するため、このレンジフード１を設置するのみで空気清浄をも行なえるようになる。また、レンジフード１とは別体の空気清浄機を設置する必要がなくなるため、ダイニングルームの利用スペースを増大させるとともに食器棚等の収納家具の設置の自由度を増大させることが可能になる。更には、ダイニングルーム側から見た上記レンジフード１の背面側の景観が、レンジフード１を構成するステンレス板が剥き出しになったままの無機質的なものではなくなるため、当該景観が改善される。
【００２５】
次に、この発明の実施の第二形態例について説明する。図３は、第二形態例に係る空気清浄機能付きレンジフードの縦断面図である。尚、本形態例は、この発明を、加熱調理機器としてガスコンロ３ａが設置されているキッチンに設置されるレンジフードに適用したものである。
【００２６】
本形態例に係る空気清浄機能付きレンジフード１ａは、上述した第一形態例と同様、上記図１に示すように、基体２と、その下面開口を吸込み口４としたフード５と、上記基体２の内部に設けられたレンジフード用ファン６と、上記基体２内部で上記吸込み口４から吸引した油煙等の流通路７に連続する排出ダクト１８と、を備えている。尚、上記流通路７の途中に捕集フィルタ８（図２参照）を設けても良い。
【００２７】
特に、本形態例に係る空気清浄機能付きレンジフード１ａは、図３に示すように、基体２内部を、隔壁１５によりキッチン側隔室１６とダイニング側隔室１７とに区画している。上記レンジフード用ファン６は、キッチン側隔室１６内に設けられている。これに伴い、上記油煙等の流通路７は、上記フード５の下面に形成された吸込み口４と、上記キッチン側隔室１６と、このキッチン側隔室１６に連続し、屋外に通じる排出ダクト１８と、から構成される。
【００２８】
また、上記レンジフード１ａの背面側（図３の右側）に設けられる上記ダイニング側隔室１７には、空気吸入口９と空気送出口１０とを形成している。更に、ダイニング側隔室１７の内部には、空気清浄機用ファン１９と、上記空気吸入口９から吸引された空気中の塵芥を吸着するフィルタ装置１２と、を設けている。
【００２９】
上述のように構成される本形態例に係る空気清浄機能付きレンジフード１ａにおいては、上記ガスコンロ３ａにより、例えばフライパン１３を用いて調理を行なう際に、上記レンジフード用ファン６を駆動し、調理に伴って発生する油煙や水蒸気を、上記フード５の下面に設けた吸込み口４から吸込ませる。この吸込み口４から吸込まれた上記油煙や水蒸気は、上記流通路７を通って上記ダクト１８から屋外に排出される。
【００３０】
また、この空気清浄機能付きレンジフード１を用いて、ダイニングルームの空気清浄を行なう場合には、上記空気清浄機用ファン１９を駆動し、上記ダイニングルーム側の空気を上記空気吸入口９から吸引する。この空気は、上記流通路１１を通って上記空気送出口１０から送り出される。この際、上記空気中に含まれる例えば煙草の煙分や塵芥（ハウスダクト）等が、上記流通路１１の途中に設けられたフィルタ装置１２により吸着される。この結果、上記空気吸入口９から吸引された空気が清浄化される。この清浄化された空気が、上記空気送出口１０から室内に送り出され、室内は清浄な空気で満たされる。
【００３１】
尚、本形態例においても上述した第一形態例と同様、上記フィルタ装置１２としては、ペーパフィルタ、静電フィルタ、或いはこれらの組み合わせ等を採用できる。また、上記空気送出口１０の近傍に、従来から知られたマイナスイオン発生装置を設けたり、従来から知られたアロマ発生装置を設けたりしても良い。本形態例の効果についても、上述した第一形態例と同様である。
【００３２】
【発明の効果】
この発明に係る空気清浄機能付きレンジフードは、以上説明したように構成されているため、このレンジフードを設置するのみで空気清浄をも行なえるようになる。また、レンジフードとは別体の空気清浄機を設置する必要がなくなるため、ダイニングルームの利用スペースを増大させるとともに食器棚等の収納家具の設置の自由度を増大させることが可能になる。更には、ダイニングルーム側から見た上記レンジフードの背面側の景観が、レンジフードを構成するステンレス板が剥き出しになったままの無機質的なものではなくなるため、当該景観が改善される。
【図面の簡単な説明】
【図１】この発明の実施の第一形態例に係る空気清浄機能付きレンジフードを示す斜視図である。
【図２】同じく縦断側面図である。
【図３】この発明の実施の第二形態例に係る空気清浄機能付きレンジフードを示す、図２と同様の縦断側面図である。
【符号の説明】
１、１ａ  レンジフード
２  基体
３  電気コンロ
３ａ  ガスコンロ
４  吸込み口
５  フード
６  レンジフード用ファン
７  流通路
８  捕集フィルタ
９  空気吸入口
１０  空気送出口
１１  流通路
１２  フィルタ装置
１４  開閉扉
１５  隔壁
１６  キッチン側隔室
１７  ダイニング側隔室
１８  排出ダクト
１９  空気清浄機用ファン
【図１】
0004753223.tif 000002
【図２】
0004753223.tif 000003
【図３】
0004753223.tif 000004